(57)【要約】【課題】交流電源電圧が例えば電源装置の動作可能範囲外になったとしても、安価な構成で装置を安全にその動作を終了させ、復帰させることが可能な電源装置、画像形成装置及び制御方法を提供することである。【解決手段】その電源装置は交流電源に接続され、交流電源からの交流電圧を直流電圧に変換し、該変換された直流電圧を負荷に対して出力する。その装置に、交流電圧を監視する監視部と、前記交流電圧を直流電圧に変換する電源部と、前記電源部への前記交流電圧の入力を外部からの制御信号によりＯＮ／ＯＦＦするスイッチ回路とを備える。そして、その監視部から、前記交流電圧の値を示す情報を出力するように構成する。【選択図】  図４
2017114008.tif 000002
【特許請求の範囲】
【請求項１】
交流電源に接続され負荷に電力を供給する電源部と、
前記交流電源の電圧を監視し、該電圧が予め定められた範囲を超えた場合、前記負荷への電力供給を停止すると共に、前記超えた程度に応じて前記負荷を停止するまでの電力供給の量を変更する制御手段と、を有することを特徴とする電源装置。
【請求項２】
前記電源部への前記交流電源の入力をＯＮ／ＯＦＦするスイッチ回路をさらに有し、
前記負荷は複数あり、
前記電源部は、
前記交流電源の電圧を入力して第１の直流電圧に変換する第１の電源部と、
前記交流電源の電圧を入力して前記第１の直流電圧とは異なる第２の直流電圧に変換する第２の電源部とを含み、
前記第１の電源部から出力される前記第１の直流電圧で少なくとも第１の負荷の一部に電力を供給し、
前記第２の電源部から出力される前記第２の直流電圧で少なくとも第２の負荷の一部に電力を供給し、
前記スイッチ回路のＯＮ／ＯＦＦにより前記第２の電源部への前記交流電源の電圧の入力が制御されることを特徴とする請求項１に記載の電源装置。
【請求項３】
前記第２の電源部から出力される前記第２の直流電圧による電力の供給をＯＮ／ＯＦＦする第２のスイッチ回路をさらに有することを特徴とする請求項２に記載の電源装置。
【請求項４】
請求項２又は３に記載の電源装置からの電力供給を受けて動作する画像形成装置であって、
画像データに基づいて記録媒体に画像を形成する画像形成手段と、
前記記録媒体を前記画像形成手段に搬送する搬送手段と、
前記画像データを記憶する記憶手段と、
前記画像データを入力し、前記画像データに画像処理を行い、該画像処理が実行された画像データを前記画像形成手段に出力するとともに、前記画像形成手段の動作を制御する第２の制御手段とを有し、
前記第２の制御手段は、前記制御手段から出力される情報に基づいて、前記交流電源の電圧の値が動作使用範囲を下回ったと判断された場合には、前記下回りの程度に応じて、前記画像形成手段と前記搬送手段と前記記憶手段に対する動作の終了処理を実行することを特徴とする画像形成装置。
【請求項５】
前記終了処理は、前記スイッチ回路に対して制御信号を出力し、前記電源部から供給される電力供給を遮断する処理であることを特徴とする請求項４に記載の画像形成装置。
【請求項６】
前記負荷は複数、あり、
前記第２の制御手段は、前記複数の負荷の内、第１の負荷として動作し、前記画像データを入力し前記画像形成手段による画像形成のために画像処理を実行し、
前記画像形成手段は、前記複数の負荷の内、第２の負荷として動作することを特徴とする請求項４又は７に記載の画像形成装置。
【請求項７】
前記第２の制御手段は、
前記下回りの程度が第１の範囲にあるときには、前記画像形成装置を構成する全ての構成要素に対する電圧低下時の異常回避処理を実行し、
前記下回りの程度が前記第１の範囲よりも大きい第２の範囲にあるときには、優先順位の高い構成要素に対して電圧低下時の異常回避処理を実行し、
前記下回りの程度が前記第２の範囲よりも大きい第３の範囲にあるときには、前記画像形成装置の再起動に必要な処理を実行することを特徴とする請求項４乃至６のいずれか１項に記載の画像形成装置。
【請求項８】
前記優先順位の高い構成要素として前記記憶手段を含み、
前記優先順位の低い構成要素として前記搬送手段を含むことを特徴とする請求項７に記載の画像形成装置。
【請求項９】
請求項１乃至３のいずれか１項に記載の電源装置からの電力供給を受けて動作し、画像データに基づいて記録媒体に画像を形成する画像形成手段を有する画像形成装置の制御方法であって、
前記画像形成手段の動作を制御し、
前記制御手段から出力される情報に基づいて、前記交流電源の電圧の値が動作使用範囲を下回ったと判断された場合には、前記下回りの程度に応じて前記画像形成装置の動作の終了処理を制御することを特徴とする制御方法。
【発明の詳細な説明】
【技術分野】
【０００１】
本発明は電源装置、画像形成装置、及びその制御方法に関し、特に、交流電源からの電力供給を受け適切な電力の分配を行う電源装置、その電源装置を用い、例えば電子写真方式に従って記録媒体に画像を形成する画像形成装置、及びその制御方法に関する。
【背景技術】
【０００２】
各種電子機器に備えられ、交流電源を入力して電子機器内で使用される所要の直流電圧を出力する電源装置が幅広く利用されている。このような電源装置として、スイッチングコンバータを備えたものが知られている。スイッチングコンバータを備えた電源装置では、交流電源入力部の後段に整流平滑回路を設けて直流電圧を生成する。そして、スイッチングコンバータ（ＤＣ−ＤＣコンバータ）が、この直流電圧をスイッチング素子のオン・オフ動作によりチョッピングした後に平滑し、最終的に安定した所要の直流電圧を出力する。
【０００３】
従来より複写機やプリンタ等の電子機器では、日本国内と北米向けには入力電圧がＡＣ１００Ｖ系（例えば、ＡＣ１００Ｖ〜１２０Ｖ）、欧州向けには入力電圧がＡＣ２００Ｖ系（例えば、ＡＣ２２０Ｖ〜２４０Ｖ）の専用電源装置を用いることが一般的である。この専用電源装置は安定した動作が可能な入力電圧範囲が決まっており、その範囲は一般的には定格電圧の１０％前後である。
【０００４】
この範囲を超えた交流電圧が入力されると整流平滑回路のアルミ製の電解コンデンサの耐電圧を超えるおそれがある。また、交流電源がこの範囲より低いとの部品の温度上昇により、例えば、スイッチング素子の温度が著しく上昇し、その部品が破損に至ることがある。
【０００５】
そこで交流電源からの過電圧や低電圧による回路破損を防ぐために、特許文献１のように過電圧入力を検知した時に、電源回路への交流電源供給を遮断する手段や、特許文献２のように入力電圧低下時に回路リセットを行う手段を備えることが提案されている。さらに、特許文献３のように二次電池を利用した無停電装置による手段を備えることも提案されている。
【０００６】
なお、電源回路を入力可能な電圧範囲を相当に広くして対応することも可能であるが、この場合には、部品コストが増大するため好ましくない。
【先行技術文献】
【特許文献】
【０００７】
【特許文献１】特願２０１３−６４２１号公報
【特許文献２】特願２００９−６６５１８号公報
【特許文献３】特願２００３−３７０２８８号公報
【発明の概要】
【発明が解決しようとする課題】
【０００８】
さて新興国の電源事情は先進国に比べて精度や安定度が著しく悪い場合があり、その結果、電子機器に交流電源電圧範囲を大きくはずれる電圧が印加される頻度が高くなる。そのため、電子機器がこのような事態に対処するため、交流電源電圧が電源装置の入力可能範囲外になった場合でも、電子機器を破損することなく良好な状態を保持したまま動作を停止させ、また復帰させる必要がある。
【０００９】
しかしながら上記従来例では、交流電源電圧が電源装置の入力可能範囲を超えた場合には、電子機器の状態に関係なく、電力供給を遮断してしまうため、電源装置の保護はできても、電子機器側で正常な終了処理を行うことができない。このため、データの破損や部品の破損、機器動作の異常終了が発生する可能性があり、電子機器を正常に復帰させることができない可能性がある。また、その電源装置に二次電池を備えた電子機器では、その電力を利用して、電子機器の終了処理を行うことも可能だが、このような構成の場合には、装置コストが増大するという別の課題が生じてしまう。
【００１０】
本発明は上記従来例に鑑みてなされたもので、交流電源電圧が例えば電源装置の動作可能範囲外になったとしても、安価な構成で装置の動作を安全に終了させ、復帰させることが可能な電源装置、画像形成装置及び制御方法を提供することを目的とする。
【課題を解決するための手段】
【００１１】
上記目的を達成するために本発明の電源装置は次のような構成からなる。
【００１２】
即ち、交流電源に接続され負荷に電力を供給する電源部と、前記交流電源の電圧を監視し、該電圧が予め定められた範囲を超えた場合、前記負荷への電力供給を停止すると共に、前記超えた程度に応じて前記負荷を停止するまでの電力供給の量を変更する制御手段とを有することを特徴とする。
【発明の効果】
【００１３】
従って本発明によれば、交流電圧を監視し、例えば、その電圧が電源装置の動作可能範囲外になったとしても、電源装置からの電力供給を受ける画像形成装置はその程度に応じて適切な終了処理を行うことができる。これにより、画像形成装置は装置を破損することなく安全にその動作を終了させ、また、復帰させることができる。
【００１４】
また、電源装置に二次電池などを備えることがないので、装置のコストを抑えることもできるという利点がある。
【図面の簡単な説明】
【００１５】
【図１】本発明の代表的な実施例である画像形成装置の概略構成を示したブロック図である。
【図２】実施例１に従う画像形成装置１００の詳細な構成を示すブロック図である。
【図３】負荷に供給される電力と部品温度の時間変化を示す図である。
【図４】実施例１に従う電源装置へ入力される交流電源電圧が変化した場合の対処の処理について示すフローチャートである。
【図５】実施例２に従う画像形成装置１００の詳細な構成を示すブロック図である。
【図６】実施例２に従う電源装置へ入力される交流電源電圧が変化した場合の対処の処理について示すフローチャートである。
【発明を実施するための形態】
【００１６】
以下添付図面を参照して本発明の好適な実施例について、さらに具体的かつ詳細に説明する。
【００１７】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１８】
また、「記録媒体」とは、一般的な記録装置で用いられる紙のみならず、広く、布、プラスチック・フィルム、金属板、ガラス、セラミックス、木材、皮革等も含む。
【００１９】
図１は本発明の代表的な実施例である画像形成装置１００の概略構成を示すブロック図である。
【００２０】
画像形成装置１００は交流電源（ＡＣ）１から電力供給を受けて動作する。図１に示すように、画像形成装置１００は大きく分けて、電源装置１１０とプリンタエンジン１２０とプリンタコントローラ１３０とから構成される。電源装置１１０は、例えば、ＡＣ１００〜２４０Ｖの交流電圧を入力して、装置各部の動作に必要な直流電圧（ＤＣ）を供給する。プリンタエンジン１２０は電子写真方式やインクジェット方式に従って記録紙などの記録媒体に画像を形成する。一方、プリンタコントローラ１３０はパーソナルコンピュータ（ＰＣ）やデジタルカメラなどの画像データを生成元（ホスト装置：不図示）から入力して画像処理を施し、プリンタエンジン１２０に出力するとともに画像形成装置１００全体を制御する。
【００２１】
ここでは、電源装置１１０が正常に動作する交流電源の電圧範囲外の電圧が入力された場合に、図１に示す画像形成装置１００を異常なく終了させることが可能な実施例について説明する。
【実施例１】
【００２２】
図２は実施例１に従う画像形成装置１００の詳細な構成を示すブロック図である。
【００２３】
電源装置１１０は交流電源１から電力供給を受け動作する第一電源部４と、電源電圧を監視する電源電圧監視部２と電源供給のＯＮ／ＯＦＦを制御するスイッチ回路３を介して、電源が供給される第二電源部５を有している。なお、スイッチ回路３はリレー素子、半導体素子など種々の素子で構成される。また、電源装置１１０からの電力供給を受けて動作するプリンタエンジン１２０とプリンタコントローラ１３０にはそれぞれ、ＣＰＵ６、９を備えており、そのＣＰＵを介して種々の機器が制御される。
【００２４】
プリンタエンジン１２０にはＣＰＵ９により制御される機器としてモータ１０が図示されているが、これ以外にも電子写真方式であれば、種々のセンサ、クラッチ、ソレノイド、定着器のヒータ、半導体レーザ、感光ドラム、帯電器、除電器なども制御される。インクジェット方式であれば、記録ヘッド、回復ユニットなども制御される。
【００２５】
一方、プリンタコントローラ１３０にはＣＰＵ６により制御される機器として、ハードディスクドライブ（ＨＤＤ）７、メモリ８が図示されているが、これ以外にも操作パネル（不図示）のＬＣＤやＬＥＤ、ホスト装置とのインタフェースなども制御される。
【００２６】
このように、プリンタエンジン１２０とプリンタコントローラ１３０はそれぞれ、種々の構成要素を制御している。しかしながら、ここでは説明を簡単にするために、図２に示すように、プリンタエンジン１２０はモータ１０を制御し、プリンタコントローラ１３０はデータを記憶するＨＤＤ７とメモリ８とを制御するものとして説明する。
【００２７】
さて、第一電源部４は入力交流電圧を直流電圧（ＤＣ）に変換し、その出力ＶａをＣＰＵ６に供給している。ＣＰＵ６はＨＤＤ７やメモリ８などを制御している。一方、第二電源部５は入力交流電圧を直流電圧（ＤＣ）に変換し、その出力Ｖｂを記録搬送に必要なモータ１０やＨＤＤ７の駆動源として供給している。さらに、第二電源部５から供給される出力Ｖｂはその電圧が降圧され出力Ｖｃ（＜Ｖｂ）としてＣＰＵ９に供給される。ＣＰＵ９はモータ１０などの動作を制御している。
【００２８】
また、図２から分かるように、ＣＰＵ６とＣＰＵ９とは互いに通信し、情報（データや制御情報）を交換することができる。
【００２９】
さらに、電源電圧監視部２は常時、入力される交流電圧を監視しており、その電圧が一定の閾値を下回ると、スイッチ回路３をＯＦＦにして、電力供給を遮断する。スイッチ回路３のＯＦＦ動作はＣＰＵ６がトランジスタ１１のゲートに閾値以上の電圧を印加するとスイッチ回路３を構成するコイル３ａに電流が流れ、その電磁力によりスイッチ３ｂをＯＦＦすることにより実行される。一方、スイッチ回路３のＯＮ動作は、ＣＰＵ６がトランジスタ１１のゲート電圧が閾値未満にすると、コイル３ａへの電流供給がなくなり電磁力が消滅し、その結果、復帰ばね（不図示）の作用でスイッチ３ｂをＯＮすることにより実行される。このような構成のため、ＣＰＵ６からの入力されるゲート電圧がスイッチ回路３のＯＮ／ＯＦＦ動作の制御信号として作用する。この制御信号は電源装置１１０からすれば外部から供給される制御信号となる。
【００３０】
従って、急激な交流電源電圧の変化（８５Ｖから７０Ｖへの低下）があると、スイッチ回路３はＯＦＦとなり、第二電源部５への電力供給は遮断される。その結果、第二電源部５から電力供給を受けているモータ１０やＨＤＤ７の駆動が予期せぬタイミングで停止するため、記録動作に従って搬送されている記録媒体にジャム（ＪＡＭ）が発生したり、装置各部の機器が破損する可能性がある。
【００３１】
また、電源装置１１０からすれば、プリンタエンジン１２０やプリンタコントローラ１３０は負荷となるので、電源装置１１０は複数の負荷に対して電力を供給していると言える。図２に示す構成では第一電源部４は負荷（プリンタコントローラ）に対して電圧Ｖａのみで電力を供給する。これに対して、第二電源部５はプリンタエンジン１２０の一部とプリンタコントローラ１３０の一部に電圧Ｖｂで電力を供給し、電圧Ｖｃでプリンタエンジン１２０の残りに電力を供給している。
【００３２】
図３は電源装置１１０に入力される交流電圧と部品温度の時間変化を示す図である。
【００３３】
図３（ａ）に示されているように、負荷に４００Ｗの電力を出力しているときに、入力される交流電圧が、例えば、５Ｖ低下し電源装置１１０の動作電圧範囲を下回った場合を考える。この場合、電源装置１１０からの電力供給を受けている部品の温度が図３（ａ）に示す実線のように上昇することがある。しかしながら、その部品温度が破損する温度に至るまでには入力交流電圧に応じた時間が必要である。ここでは、その時間を５分とする。
【００３４】
また、その時間は電源装置からの出力電力によっても変化する。例えば、交流電源電圧の変化量が同じ−５Ｖであったとしても、出力電力が２００Ｗや１００Ｗであれば、部品温度は５分では最大定格には達せず、部品が破損する時間は長くなる。
【００３５】
また、部品が破損する時間は、交流電源電圧の変化量によっても異なる。例えは、図３（ｂ）に示されているように、交流電源電圧の変化量が−１５Ｖだった場合、出力電力が４００Ｗの場合は、破損時間が２分になってしまうが、出力電力が２００Ｗの場合は、５分までは破損しない。
【００３６】
さらに、図３（ｃ）に示されているように、交流電源電圧の変化量が−２５Ｖだった場合、破損する時間はさらに短くなり、出力電力１００Ｗの場合で３分となる。
【００３７】
本発明では、交流電源電圧の変化量と出力電力に応じて、部品が破損する時間が異なる点に着目し、電源装置の部品が破損する時間を延長し、安全に停止することができるようにする。
【００３８】
交流電源電圧の低下量と、停止処理に必要な時間と、その時出力可能な電力を、画像形成装置（負荷）が実行可能な停止処理に当てはめると以下のような関係になる。
【００３９】
┌───────┬────┬────┬─────────────────┐
│  電圧低下量  │必要時間｜出力電力｜      可能な停止処理の例          │
├───────┼────┼────┼─────────────────┤
│              │        ｜        ｜シート排出、ジョブの受付停止      │
│  〜−１０Ｖ  │  ５分  ｜４００Ｗ｜転写クリーニング、搬送モータ停止  │
│              │        ｜        ｜ＨＤＤ停止、データ保存            │
│              │        ｜        ｜電源遮断                          │
├───────┼────┼────┼─────────────────┤
│              │        ｜        ｜転写クリーニング、搬送モータ停止  │
│−１０Ｖ〜    ｜        ｜        ｜                                  ｜
｜      −２０Ｖ│  ３分  ｜２００Ｗ｜ＨＤＤ停止、データ保存            │
│              │        ｜        ｜電源遮断                          │
├───────┼────┼────┼─────────────────┤
│−２０Ｖ〜    ｜        ｜        ｜                                  ｜
｜    −３０Ｖ  │  １分  ｜１００Ｗ｜ＨＤＤ停止、データ保存            │
│              │        ｜        ｜電源遮断                          │
├───────┼────┼────┼─────────────────┤
│−３０Ｖ〜    │  ０分  ｜  ０Ｗ  ｜電源遮断                          │
└───────┴────┴──────────────────────┘
【００４０】
出力電力が４００Ｗで、電圧低下が−１０Ｖまでの場合、破損までの時間が５分あり、画像形成装置として安全に停止するための処理は５分で全て行うことができる。その場合、印刷ジョブを途中で停止しないように、まずは画像形成途中のシートを最後まで処理して排出する。そして、次のジョブの途中でシート搬送が止まらないように、ジョブの受付を停止する。その後、転写ローラに残ったトナーのクリーニング、搬送モータの停止、ＨＤＤ停止、各種設定値等のデータ保存を行い電源を遮断する。
【００４１】
出力電力が４００Ｗで、電圧低下が−２０Ｖまでの場合は、出力電力４００Ｗのままでは破損時間が２分になってしまい、ＨＤＤ停止、データ保存しかできない。そのため出力電力を２００Ｗまで落とすため、シート排出に係るモータや通信回路への電力を遮断する。そうすることで停止処理に必要な時間３分を確保する。画像形成装置内にシートが滞留する可能性があるが、電源ＯＦＦ中に取り除いて、再起動すれば、画像形成装置としては正常に動作させることができる。
【００４２】
電圧低下が−３０Ｖまでの場合は、出力電力２００Ｗでも破損までの時間が３分を切ってしまう。そのため、さらに画像形成ユニットへの電力を遮断し、出力電力を１００Ｗまで落とすことで、停止処理に必要な時間１分を確保する。そうすることで、装置の正常な再起動に必要なＨＤＤ停止、データの保存を行ったうえで電源を遮断する。
【００４３】
電圧低下が−３０Ｖを超えた場合は、それ以上破損時間の延長ができないため、停止処理は行わず電源を遮断する。
【００４４】
図４は電源装置へ入力される交流電源電圧が変化した場合の対処の処理について示すフローチャートである。なお、図４に示された判断基準となる電圧値の閾値や異常回避処理の種類、優先順位は例示に過ぎず、装置の特性に応じて変更しても良いことは言うまでもない。
【００４５】
まず、ステップＳ３０２では電源電圧監視部２において検知された電圧値（Ｖin）を取得する。次に、ステップ３０３は、取得した電圧値（Ｖｉｎ）が第二電源部５の動作仕様範囲内（Ｖmin≦Ｖ≦Ｖmax）にあるかどうかを調べる。ここで、取得した電圧値（Ｖin）が動作仕様範囲内にあると判断されれば、処理はステップＳ３０４に進み動作を継続し、その後、ステップＳ３０２での電源電圧監視部２による入力交流電圧の監視を続ける。これに対して、取得した電圧値（Ｖin）が動作仕様範囲外であると判断されれば、処理はステップＳ３０５に進み電源遮断処理を行う。
【００４６】
電源遮断処理では、まず、ステップＳ３０５において、取得した電圧値（Ｖin）が第二電源部５の動作仕様範囲の下限値（Ｖmin）より低い電圧値であるかどうかを調べる。ここで、取得した電圧値（Ｖin）が第二電源部５の動作仕様範囲の下限値未満と判断された場合（Ｖin＜Ｖmin）、処理はステップＳ３０６に進む。これに対して、取得した電圧値（Ｖin）が第二電源部５の動作仕様範囲の上限値より高いと判断された場合（Ｖmax＜Ｖin）、過電圧になっており、すぐに破損の可能性が高いので、処理はステップＳ３０９に進み、電源を遮断する。
【００４７】
ステップＳ３０６では、取得した電圧値（Ｖin）が第二電源部５の動作仕様範囲の下限値−１０Ｖ（Ｖmin−１０）より低い電圧値であるかどうかを調べる。ここで、取得した電圧値（Ｖin）が第二電源部５の動作仕様範囲の下限値−１０Ｖより低い電圧値の場合（Ｖin＜Ｖmin−１０）、処理はステップＳ３０７に進む。これに対して、取得した電圧値（Ｖin）が第二電源部５の動作仕様範囲の下限値−１０Ｖより高い電圧値の場合（Ｖmin−１０≦Ｖin＜Ｖmin）、処理はステップＳ３１０に進む。
【００４８】
そして、ステップＳ３１０では、
（１）印刷途中のシートの排出、ジョブの受付停止
（２）転写クリーニング、搬送モータ停止
（３）ＨＤＤ停止、データ保存
のすべての終了処理を実行する。その後、処理はステップＳ３０９に進む。
【００４９】
ステップＳ３０７では、取得した電圧値（Ｖin）が第二電源部５の動作仕様範囲の下限値−２０Ｖ（Ｖmin−２０）より低い電圧値であるかどうかを調べる。ここで、取得した電圧値（Ｖin）が第二電源部５の動作仕様範囲の下限値−２０Ｖより低い電圧値の場合（Ｖin＜Ｖmin−２０）、処理はステップＳ３０８に進む。これに対して、取得した電圧値（Ｖin）が第二電源部５の動作仕様範囲の下限値−２０Ｖより高い電圧値の場合（Ｖmin−２０≦Ｖin＜Ｖmin−１０）、処理はステップＳ３１１に進む。
【００５０】
そして、ステップＳ３１１では、
（２）転写クリーニング、搬送モータ停止
（３）ＨＤＤ停止、データ保存
に関して終了処理を実行する。その後、処理はステップＳ３０９に進む。
【００５１】
なお、優先順位の決定は検知された電圧値に応じて、さらに詳細に条件を設定しても良いし、終了処理を実行しないと正常な復帰処理の実現が困難なものを予め定義しておくと良い。例えば、ＨＤＤの異常終了によりヘッドクラッシュが発生すると、たとえ交流電圧の値が正常になり、画像形成装置の復帰動作を行っても、ＨＤＤの動作は正常に復帰しない。このような場合、ＨＤＤを優先順位の高位に設定することができる。
【００５２】
また、図３に示した特性からも分かるように、交流電圧の低下が生じた場合に温度上昇速度の速い部品に関しては速く、電力供給を停止した方が部品保護の観点からも望ましいので、このような部品は迅速に電力供給を停止するように優先順位を低く設定できる。
【００５３】
ステップＳ３０８では、第二電源部５の動作仕様範囲の下限値−３０Ｖ（Ｖmin−３０）より低い電圧値であるかどうかを調べる。ここで、取得した電圧値（Ｖin）が第二電源部５の動作仕様範囲の下限値−３０Ｖより低い電圧値の場合（Ｖin＜Ｖmin−３０）、処理はステップＳ３０９に進む。これに対して、取得した電圧値（Ｖin）が第二電源部５の動作仕様範囲の下限値−３０Ｖより高い電圧値の場合（Ｖmin−３０≦Ｖin＜Ｖmin−２０）、処理はステップＳ３１２に進む。
【００５４】
そして、ステップＳ３１２では装置の再起動に最低限必要な異常回避処理を実行する。この処理には、例えば、
（３）ＨＤＤ停止、データ保存
がある。その後、処理はステップＳ３０９に進む。
【００５５】
ステップＳ３０９では、スイッチ回路３をＯＦＦにして第二電源部５への電源供給を遮断する。
【００５６】
第二電源部５への電源供給の遮断後も、ステップＳ３１４において電源電圧監視部２による入力交流電圧（Ｖin）の監視を続け、ステップＳ３１５では、第二電源部５の動作仕様範囲内（Ｖmin≦Ｖin≦Ｖmax）にあるかどうかを調べる。ここで、取得した電圧値（Ｖin）が動作仕様範囲内にないと判断されれば、処理はステップＳ３１４に戻り監視動作を継続する。これに対して、取得した電圧値（Ｖin）が動作仕様範囲内にあると判断されれば、処理はステップＳ３１６に進んで、画像形成装置１００の復帰動作を実行し、その後、処理はステップＳ３０２に戻り、電源電圧監視部２による入力交流電圧の監視を続ける。
【００５７】
従って以上説明した実施例に従えば、検出された入力交流電圧の値を調べ、その値がどれほど動作使用範囲の下限値により下回っているのかの程度に応じて装置各部の優先順位に従って電力供給を遮断するように制御することができる。これにより、すぐに装置の各部全てを同時に電力供給を遮断するのではなく、装置を破損することなく安全にその動作を終了させ、また、復帰させることができる。
【実施例２】
【００５８】
ここでは、図３が示すように出力電力が異なると第二電源部５の破損にかかわる部品の温度の上昇率も変化することに着目し、第二電源部５の出力電力を制限するとともに検知した入力交流電圧値に応じてスイッチを用いて電流量を制限する例について説明する。
【００５９】
図５は実施例１に従う画像形成装置１００の詳細な構成を示すブロック図である。なお、図５において、既に図２を参照して実施例１で説明したのと同じ構成要素については同じ参照番号を付し、その説明は省略する。ここでは、この実施例に特有の構成要素についてのみ説明する。
【００６０】
図５と図２とを比較すると分かるように、画像形成ユニット１１を設けている。また、電源装置１１０には第二電源部５からの出力Ｖｂと、モータ負荷１０、画像形成ユニット１１とＨＤＤ７との間にはスイッチ１２、１３、１４を設けている。そして、スイッチ１２、１３、１４によって、それぞれの負荷に対して出力Ｖｂの供給をＣＰＵ６によりＯＮ／ＯＦＦ制御可能としている。
【００６１】
画像形成ユニット１１には、例えば、電子写真方式のプリンタエンジンなら定着ヒータ、感光体ドラムの帯電器、除電器、半導体レーザユニットなどがある。一方、インクジェット方式のプリンタエンジンなら記録ヘッドの駆動回路、回復ユニットなどがある。
【００６２】
なお、スイッチ１２、１３、１４はリレー素子、半導体素子など種々の素子で構成される。
【００６３】
図６は電源装置へ入力される交流電源電圧が変化した場合の対処の処理について示すフローチャートである。なお、図６に示された判断基準となる電圧値の閾値や異常回避処理の種類、優先順位、スイッチの数、そのスイッチに接続される負荷は例示に過ぎず、装置の特性に応じて変更しても良いことは言うまでもない。また、図４を参照して実施例１で既に説明したのと同じ処理ステップには同じステップ処理番号を付し、その説明は省略する。ここでは、この実施例に特有の処理についてのみ説明する。
【００６４】
図６と図４とを比較すると分かるように、ステップＳ３０２〜Ｓ３０５、ステップＳ３０９、Ｓ３１４〜Ｓ３１６の処理は実施例１と同じである。
【００６５】
図６によれば、ステップＳ３０６において、取得した電圧値（Ｖin）が第二電源部５の動作仕様範囲の下限値−１０Ｖより高い電圧値であると判断された場合（Ｖmin−１０≦Ｖin＜Ｖmin）、処理はステップＳ３０６Ａに進む。ステップＳ３０６Ａでは、スイッチ１３をＯＦＦにして、画像形成ユニット１１への電力供給を遮断することで第二電源部５の出力電力を低減し、その後の終了処理の電力を確保する。その後、処理はステップＳ３１０に進む。ステップＳ３１０以降の処理は実施例１で説明した通りである。
【００６６】
また、ステップＳ３０７において、取得した電圧値（Ｖin）が第二電源部５の動作仕様範囲の下限値−２０Ｖより高い電圧値であると判断された場合（Ｖmin−２０≦Ｖin＜Ｖmin−１０）、処理はステップＳ３０７Ａに進む。ステップＳ３０７Ａでは、スイッチ１２、１３をＯＦＦにして、モータ負荷１０と画像形成ユニット１１への電力供給を遮断する。
【００６７】
つまり、この実施例では交流電圧の低下時には記録媒体のジャム発生は回避できない事象とみなし、異常事態の回避処理では優先順位の低いものとして、モータ負荷を強制的に停止させ、転写クリーニング等、ほかの終了処理の電力を確保する。その後、処理はステップＳ３１１に進む。ステップＳ３１１以降の処理は実施例１で説明した通りである。
【００６８】
さらに、ステップＳ３０８において、取得した電圧値（Ｖin）が第二電源部５の動作仕様範囲の下限値−３０Ｖより高い電圧値であると判断された場合（Ｖmin−３０≦Ｖin＜Ｖmin−２０）、処理はステップＳ３０８Ａに進む。ステップＳ３０８Ａでは、スイッチ１２、１３、１４をＯＦＦにして、モータ負荷１０と画像形成ユニット１１とＨＤＤ７への電力供給を遮断する。ここではＨＤＤの正常終了は不可能とみなし、ＨＤＤを強制的に停止させ、各種設定値等のデータ保存の電力を確保する。その後、処理はステップＳ３１２に進む。ステップＳ３１２以降の処理は実施例１で説明した通りである。
【００６９】
従って以上説明した実施例に従えば、実施例１での効果に加えて、スイッチを設けることにより確実に電力供給を遮断していくことができる。
【００７０】
なお、上述した実施例では、単機能の画像形成装置を例として説明したが本発明はこれによって限定されるものではない。例えば、説明した画像形成装置に記録用紙を自動給送するＡＤＦ部を備える画像形成装置やメモリプリント機能を備える画像形成装置、さらにはスキャナ機能を備える多機能の画像形成装置であっても良い。
【符号の説明】
【００７１】
１  交流電源、２  交流電源電圧監視部、３  スイッチ回路、４  第一電源部、
５  第二電源部、６  ＣＰＵ、７  ＨＤＤ、８  メモリ、９  ＣＰＵ、１０  モータ、
１２〜１４  スイッチ
【図１】
2017114008.tif 000003
【図２】
2017114008.tif 000004
【図３】
2017114008.tif 000005
【図４】
2017114008.tif 000006
【図５】
2017114008.tif 000007
【図６】
2017114008.tif 000008